(57)【要約】【課題】コネクタハウジングに対する保持力が大きく、かつ小型、軽量のコネクタ用ターミナルを提供することを目的とする。【解決手段】コネクタ用ターミナル１は、相手側ターミナルに嵌合するタブ部２とコネクタハウジング１０の圧入突部１１に圧入される圧入部３とによって構成されている。圧入部３は両側面に合計２個の圧入部位５ａを備えた基部５、および基部５から枝分かれするように形成され、その各々の両側面に１個づつの圧入部位６ａが形成された２個の枝部６を含んでいる。コネクタ用ターミナル１は合計６個の圧入部位５ａ、６ａを備えており、コネクタ用ターミナル１の幅寸法およびコネクタハウジング１０の圧入突部１１の圧入方向の寸法を大きくしなくても、コネクタハウジング１０に対する保持力を増加させることができる。【選択図】  図５
2004273390.tif 000002
【特許請求の範囲】
【請求項１】
コネクタハウジング内に収容されるためにコネクタハウジングに圧入される圧入部と、
前記圧入部から一体に延設され相手側ターミナルと嵌合するタブ部を備えたコネクタ用ターミナルにおいて、
前記圧入部は、その両側面に前記コネクタハウジングに圧入される圧入部位が形成された基部と、前記基部から枝分かれして前記タブ部と反対方向に延び、その各々の両側面に前記コネクタハウジングに圧入される圧入部位が形成された複数の枝部を備え、前記基部に形成された圧入部位間の幅が前記枝部に形成された圧入部位間の幅よりも大きいことを特徴とするコネクタ用ターミナル。
【請求項２】
前記枝部のそれぞれの側面に形成される圧入部位は、１個のみとすることを特徴とする請求項１記載のコネクタ用ターミナル。
【請求項３】
前記枝部に形成された圧入部位は、それぞれ前記枝部が前記基部から枝分かれした根元部分に形成されたことを特徴とする請求項２記載のコネクタ用ターミナル。
【発明の詳細な説明】
【０００１】
【発明の属する技術分野】
本発明は、コネクタハウジング内に圧入されることによって収容されるコネクタ用ターミナルに関する。
【０００２】
【従来の技術】
従来より、それぞれの側面に圧入方向に沿って複数個の圧入部位を形成して、その圧入部位をコネクタハウジングに圧入することによって固定するコネクタ用ターミナルがあった（例えば、特許文献１参照）。
【０００３】
【特許文献１】
特開２０００−２５１９９３公報（第７図）
【０００４】
【発明が解決しようとする課題】
一般に圧入部位を増やすことによって圧入によるターミナルのコネクタハウジングに対する保持力を増加させることができるが、ターミナルの一側面に圧入方向に沿って多数の圧入部位を形成しても、先に圧入されたターミナルの圧入部位によるハウジング側の削れによって、後に圧入される圧入部位の保持力が十分得られず、全体としてさほど保持力が向上しない。後に圧入される圧入部位の保持力を向上させるためには、その部位のターミナルの幅寸法を先に圧入される部位に比べて大きくする必要があり、一側面に圧入方向に沿ってあまりに多数の圧入部位を形成することは、ターミナルの長大化につながる。また、ハウジングの圧入部の圧入方向の寸法にも制限があるため、ターミナルの一側面に多数の圧入部位を形成することは、実際には困難をともなう。
【０００５】
本発明は上記のような事情に基づいて完成されたものであって、コネクタハウジングに対する保持力が大きく、かつ小型、軽量のコネクタ用ターミナルを提供することを目的とする。
【０００６】
【課題を解決するための手段】
上記の目的を達成するための手段として、請求項１の発明は、コネクタハウジング内に収容されるためにコネクタハウジングに圧入される圧入部と、前記圧入部から一体に延設され相手側ターミナルと嵌合するタブ部を備えたコネクタ用ターミナルにおいて、前記圧入部は、その両側面に前記コネクタハウジングに圧入される圧入部位が形成された基部と、前記基部から枝分かれして前記タブ部と反対方向に延び、その各々の両側面に前記コネクタハウジングに圧入される圧入部位が形成された複数の枝部を備え、前記基部に形成された圧入部位間の幅が前記枝部に形成された圧入部位間の幅よりも大きいことを特徴とするコネクタ用ターミナルとした。
【０００７】
請求項２の発明は、前記枝部のそれぞれの側面に形成される圧入部位は、１個のみとすることを特徴とする請求項１記載のコネクタ用ターミナルとした。
【０００８】
請求項３の発明は、前記枝部に形成された圧入部位は、それぞれ前記枝部が前記基部から枝分かれした根元部分に形成されたことを特徴とする請求項２記載のコネクタ用ターミナルとした。
【０００９】
【発明の作用及び効果】
＜請求項１の発明＞
圧入部を、両側面に圧入部位が形成された基部と、基部から枝分かれし各々の両側面に圧入部位が形成された複数の枝部によって構成したターミナルとしたことにより、ターミナルの一側面に圧入方向に沿って形成された圧入部位の数を抑えながら、圧入部位の合計数を増やすことができるため、ターミナルの幅寸法およびコネクタハウジングの圧入部の圧入方向の寸法をそれほど大きくしなくても、コネクタハウジングに対する保持力を増加させることができる。また、基部に形成された圧入部位間の幅を枝部に形成された圧入部位間の幅よりも大きくしたことにより、後に圧入される基部に形成された圧入部位による保持力も十分な大きさにすることができる。
【００１０】
＜請求項２の発明＞
枝部のそれぞれの側面に形成される圧入部位を１個のみとしたことにより、基部に比較して強度の小さい枝部の圧入による発生応力を低減し、破損、変形を防ぐことができる。
【００１１】
＜請求項３の発明＞
枝部に形成された圧入部位を、それぞれ枝部が基部から枝分かれした根元部分に形成したことにより、枝部の圧入に対する強度を向上させ、破損、変形を防ぐことができる。
【００１２】
【発明の実施の形態】
以下、本発明の実施形態を添付図面に基づいて説明する。図１乃至図３に示したように、２個のコネクタ用ターミナル１は回路基板用コネクタを構成し、コネクタハウジング１０の圧入突部１１に上方から圧入されることによって固定される。コネクタハウジング１０は合成樹脂材料によって一体に成形されており、電子回路基板（図示せず）に取付けられるフランジ部１２、相手側コネクタであるケーブル側コネクタ（図示せず）が嵌合するフード部１３および電子回路基板に対するコネクタハウジング１０の位置を決めるための突部１４を備えている。図３において、フランジ部１２の下面に電子回路基板が取付けられる。尚、コネクタハウジング１０の圧入突部１１には、ターミナル１に加えて２個の細型ターミナル１５が圧入されている。
【００１３】
ターミナル１は金属製の平板をプレスして一体に形成されており、図４に示したように、相手側ターミナルに嵌合するタブ部２と、タブ部２の下方に連続して形成され、コネクタハウジング１０の圧入突部１１に圧入によって装着される圧入部３とを備えている。更に、圧入部３はその両側部に形成され、圧入時に端子圧入治具が当接されて下方に押圧される２個の受部４、タブ部２の下方に連続して形成された基部５および基部５の下方に枝分かれして形成され、タブ部２と反対方向に延びた２個の枝部６とを備えている。図に示すように、２個の枝部６は互いに同一の形状に形成されている。
【００１４】
基部５には、両側面にコネクタハウジング１０の圧入突部１１に圧入される圧入部位５ａ（合計２個）が形成されている。圧入部位５ａは圧入方向にほぼ平行な平面とされている。圧入部位５ａ間の幅Ｄ１は、コネクタハウジング１０の圧入突部１１との間で適当な保持力が得られるように設定されている。また、各々の枝部６の上方である枝分かれの根元部分の側面は左右に膨出しており、ここに圧入部位６ａが１個づつ（合計４個）形成されている。圧入部位６ａも圧入部位５ａと同様に、圧入方向にほぼ平行な平面とされている。各々の枝部６ごとの圧入部位６ａ間の幅Ｄ２は、やはり圧入突部１１との間で適当な保持力が得られるように設定されている。
【００１５】
ここで、圧入部位５ａ間の幅Ｄ１と、２本の枝部６のそれぞれ外側に位置する圧入部位６ａ間の幅Ｄ３は、先に圧入される枝部６に形成された圧入部位６ａによってコネクタハウジング１１が削られても、基部５に形成された圧入部位５ａの圧入による保持力が維持されるように、Ｄ１＞Ｄ３の関係になるように設定されている。尚、各々の枝部６の先端には嵌合部６ｂが形成されており、嵌合部６ｂはコネクタハウジング１１を電子回路基板に装着することによって、電子回路基板のスルーホールと嵌合して、回路パターンと電気的に導通する。
【００１６】
ターミナル１の受部４の上面４ａを端子圧入治具（図示せず）の下面によって押圧することによって、ターミナル１はコネクタハウジング１０の圧入突部１１に圧入される。受部４の上面４ａは、端子圧入治具の下面が圧入突部１１の上端面１１ａに当接するまで押圧される。図３および図５に示すように、ターミナル１は基部５の両側面にある２箇所の圧入部位５ａ、および枝部６のそれぞれの両側面にある４箇所の圧入部位６ａにて構成された合計６個の圧入部位５ａ、６ａによって、コネクタハウジング１０に圧入され、所定の保持力を発生する。図５において、ハッチング部はターミナル１の圧入部位を示している。
【００１７】
上述した実施形態によれば、圧入部３を、両側面に圧入部位５ａが形成された基部５と、基部５から枝分かれし各々の両側面に圧入部位６ａが形成された複数の枝部６によって構成したことにより、ターミナルの一側面に圧入方向に沿って形成された圧入部位の数を２個に抑えながら、圧入部位の合計数を６個にでき、ターミナル１の幅寸法およびコネクタハウジング１０の圧入突部１１の圧入方向の寸法をさほど大きくしなくても、コネクタハウジング１０に対する保持力を増加させることができる。また、基部５に形成された圧入部位５ａ間の幅を枝部６に形成された圧入部位６ａ間の幅よりも大きくしたことにより、後に圧入される基部５の圧入部位５ａによる保持力も十分な大きさにすることができる。
【００１８】
また、枝部６のそれぞれの側面に圧入方向に沿って形成される圧入部位６ａを１個のみとしたことにより、基部５に比較して強度の小さい枝部６の、圧入による発生応力を低減して破損、変形を防ぐことができる。更に、枝部６に形成された圧入部位６ａを、それぞれ枝部６が基部５から枝分かれした根元部分に形成したことにより、枝部６の圧入に対する強度を向上させ、破損、変形を防ぐことができる。
【００１９】
＜他の実施形態＞
本発明は上述の記載および図面によって説明した実施形態に限定されるものではなく、例えば次のような実施形態も本発明の技術的範囲に含まれ、さらに、以下の構成のもの以外にも要旨を逸脱しない範囲内で種々変更して実施することができる。
（１）枝部は必ずしも２個でなければならないわけではなく、必要とする保持力および許容されるターミナルの大きさに応じて３個以上設けてもよい。
（２）ターミナルの圧入部位はコネクタハウジングに対して、上述したようにターミナルの幅方向に加えて、ターミナルの板厚方向（図５の紙面に垂直な方向）にも圧入代を与えてもよい。
（３）本発明は、回路基板用コネクタ以外のコネクタのターミナルに適用してもよい。
【図面の簡単な説明】
【図１】本発明の実施形態によるターミナルを使用したコネクタの平面図である。
【図２】図１のコネクタの背面図である。
【図３】図２のＡ−Ａ断面図である。
【図４】本実施形態によるターミナルの拡大した正面図である。
【図５】図３の要部拡大図である。
【符号の説明】
１…コネクタ用ターミナル
２…タブ部
３…圧入部
５…基部
６…枝部
５ａ、６ａ…圧入部位
１０…コネクタハウジング
１１…圧入突部
【図１】
2004273390.tif 000003
【図２】
2004273390.tif 000004
【図３】
2004273390.tif 000005
【図４】
2004273390.tif 000006
【図５】
2004273390.tif 000007